(57)【要約】【課題】  屋内側で空調用ダクトに水勾配を設ける必要がなく、かつ、空調用ダクトの取り付けが容易なスリーブを提供する。【解決手段】  外壁Ｗを貫通する外管２と、この外管２に内設された内管３とを有するスリーブ１であって、内管３の軸が屋外側から屋内側に向けて上向きに傾斜しており、この内管３の屋外側の第２フランジ５にベンドキャップ８を取り付け、屋内側の延設部３ａに空調用ダクト９を取り付ける。【選択図】  図１
2005299978.tif 000002
【特許請求の範囲】
【請求項１】
建物の内外を仕切る外壁や梁などの被取付部材を貫通して、ほぼ水平に取り付けられる管状のスリーブであって、
前記被取付部材を貫通する外管と、この外管に内設された内管とを有し、この内管の軸を屋外側から屋内側に向けて上向きに傾斜させ、かつ、この内管の屋外側端部にベンドキャップ取付部を設け、屋内側端部に空調用ダクト取付部を設けた、
ことを特徴とするスリーブ。
【請求項２】
建物の内外を仕切る外壁や梁などの被取付部材を貫通して、ほぼ水平に取り付けられる管状のスリーブであって、
前記被取付部材を貫通する主管の屋外側端部にベンドキャップ取付部を設け、前記主管の屋内側端部に取り付けられる空調用ダクトの流路底部が、前記主管の流路底部よりも高くなるように、前記主管の屋内側端部に空調用ダクト取付部を設け、かつ、前記空調用ダクトの流路底部と前記主管の流路底部との隙間を塞ぐ防水部材を設けた、
ことを特徴とするスリーブ。
【請求項３】
建物の内外を仕切る外壁や梁などの被取付部材を貫通して、ほぼ水平に取り付けられる管状のスリーブであって、
前記被取付部材を貫通する主管の屋外側端部にベンドキャップ取付部を設け、前記主管の屋内側端部に空調用ダクト取付部を設け、かつ、前記主管の流路底部を塞ぐ防水部材を設けた、
ことを特徴とするスリーブ。
【発明の詳細な説明】
【技術分野】
【０００１】
本発明は、コンクリート製の壁や梁などを貫通する空調用ダクトを通すためのスリーブに関し、特に、建物の内外を仕切る外壁や梁などに取り付けられるスリーブに関する。
【背景技術】
【０００２】
建物内に配管された空調用ダクトをコンクリート製の外壁や梁などにほぼ水平に貫通させて、外気と通風させる場合、例えば、次のような施工が行われる。
すなわち、管状のスリーブを建築躯体（型枠）内の所定位置にほぼ水平に配置し、その後、型枠にコンクリートを打ち込み、コンクリート製の外壁などにスリーブを貫通、固定させる。次に、空調用ダクトの外周に断熱材を巻いて、これをスリーブに差し込む。このとき、スリーブと空調用ダクトとの間には隙間があるため、空調用ダクトが所定の位置に配置されるように位置決めする必要がある。その後、スリーブと空調用ダクトとの隙間を、屋外側（外気側）からモルタルで穴埋めして、空調用ダクトを固定する。そして、スリーブの屋外側端部に、屋内に雨が吹き込むのを防ぐベンドキャップ（ウエザーカバー）を取り付けるというものである（例えば、特許文献１参照。）。
【特許文献１】実開平０５−０３６２３５号公報
【発明の開示】
【発明が解決しようとする課題】
【０００３】
ところで、このようにスリーブ内に差し込まれた空調用ダクトは、外壁に水平に配置されたストレート管であるため、ベンドキャップから浸入した雨水などが空調用ダクトを通って、屋内に入り込んでしまう。このため、屋内側の空調用ダクトに水勾配を設ける必要がある。すなわち、スリーブ内に差し込まれた空調用ダクトの屋内側端部に、Ｓ字管を介して屋内側の空調用ダクトを取り付け、屋内側の空調用ダクトがスリーブ内に差し込まれた空調用ダクトよりも高く位置するように配置する。このようにして、スリーブ内に差し込まれた空調用ダクトから浸入してきた雨水などが、屋内側の空調用ダクトに浸入しないようにする必要がある。このように、屋内側の空調用ダクトに水勾配を設ける必要がるため、Ｓ字管の費用、施工費などがかさむばかりでなく、屋内側の空調用ダクトの設置スペース（高さ方向）がより必要となる。
【０００４】
さらに、上記のように、空調用ダクトに断熱材を巻いてスリーブに差し込み、空調用ダクトを位置決めした後に、モルタルで穴埋めして空調用ダクトを固定しなればならないため、施工工程が多く、施工費がかかる。
【０００５】
そこで本発明は、屋内側で空調用ダクトに水勾配を設ける必要がなく、かつ、空調用ダクトの取り付けが容易なスリーブを提供することを目的とする。
【課題を解決するための手段】
【０００６】
上記目的を達成するために請求項１に記載の発明は、建物の内外を仕切る外壁や梁などの被取付部材を貫通して、ほぼ水平に取り付けられる管状のスリーブであって、被取付部材を貫通する外管と、この外管に内設された内管とを有し、この内管の軸を屋外側から屋内側に向けて上向きに傾斜させ、かつ、この内管の屋外側端部にベンドキャップ取付部を設け、屋内側端部に空調用ダクト取付部を設けたことを特徴としている。
（作用）
スリーブを型枠に配置し、型枠にコンクリートを打ち込むことで、外壁などにスリーブの外管が貫通、固定される。そして、このスリーブの内管の端部に、ベンドキャップおよび空調用ダクトを取り付けるだけで、外気との通風工事が終了する。この際、ベンドキャップおよび空調用ダクトが取り付けられる内管の位置は、外管に対して固定されているため、ベンドキャップおよび空調用ダクトを位置決めする必要がない。すなわち、スリーブを型枠の所定位置に配置することで、ベンドキャップおよび空調用ダクトを所定位置に配置させることができる。
しかも、内管の軸が屋外側から屋内側に向けて上向きに傾斜しているため、ベンドキャップから浸入した雨水などがこの内管を通って、空調用ダクトに入り込んでしまうことがない。このため、屋内側で空調用ダクトに水勾配を設ける必要がなくなる。
請求項２に記載の発明は、建物の内外を仕切る外壁や梁などの被取付部材を貫通して、ほぼ水平に取り付けられる管状のスリーブであって、被取付部材を貫通する主管の屋外側端部にベンドキャップ取付部を設け、主管の屋内側端部に取り付けられる空調用ダクトの流路底部が、主管の流路底部よりも高くなるように、主管の屋内側端部に空調用ダクト取付部を設け、かつ、空調用ダクトの流路底部と主管の流路底部との隙間を塞ぐ防水部材を設けたことを特徴としている。
（作用）
スリーブを型枠に配置し、型枠にコンクリートを打ち込むことで、外壁などにスリーブの主管が貫通、固定される。そして、このスリーブの主管の端部に、ベンドキャップおよび空調用ダクトを取り付けるだけで、外気との通風工事が終了する。この際、ベンドキャップおよび空調用ダクトの取付位置は、主管のベンドキャップ取付部および空調用ダクト取付部によって固定されるため、ベンドキャップおよび空調用ダクトを位置決めする必要がない。すなわち、スリーブを型枠の所定位置に配置することで、ベンドキャップおよび空調用ダクトを所定位置に配置させることができる。
しかも、空調用ダクトの流路底部がスリーブの主管の流路底部よりも高くなるように、空調用ダクトがスリーブに取り付けられるため、ベンドキャップから浸入してスリーブの主管の流路底部に達した雨水などが、空調用ダクトに入り込んでしまうことがない。このため、屋内側で空調用ダクトに水勾配を設ける必要がなくなる。また、空調用ダクトの流路底部と主管の流路底部との隙間には、防水部材が設けられているため、この隙間から雨水などが屋内に漏れ落ちることがない。
【発明の効果】
【０００７】
本発明によれば、型枠にスリーブを配置してコンクリートを打ち込むことで、外壁などにスリーブが固体され、しかも、所定位置にベンドキャップおよび空調用ダクトの取付部が得られるので、ベンドキャップおよび空調用ダクトを位置決めすることなく、容易にスリーブに取り付けることができる。また、ベンドキャップから浸入した雨水などが空調用ダクトに入り込んでしまうことがなく、屋内側で空調用ダクトに水勾配を設ける必要がなくなる。
この結果、従来に比べて施工工程（施工工数）が削減され、施工費が低減される。
【発明を実施するための最良の形態】
【０００８】
以下、本発明を図示の実施形態に基づいて説明する。
〈実施形態１〉
図１は、本実施形態に係るスリーブ１の側面図である。このスリーブ１は、外管２と、この外管２に内設された内管３とを有し、内管３の軸が屋外側から屋内側に向けて上向きに傾斜している。
外管２の屋外側端部には、断面がＬ字形で環状の第１フランジ４が取り付けられ、内管３の屋外側端部には、断面がＬ字形で環状の第２フランジ５が取り付けられ、この第１フランジ４と第２フランジ５とが接合されている。一方、外管２の屋内側端部には、外側に折り曲げられたフランジ部２ａが形成されており、内管３の屋内側には、断面がＬ字形で環状の第３フランジ７が取り付けられている。さらに、フランジ部２ａと第３フランジ７との間には、内管３の貫通穴を有する取付板６が設けられ、この取付板６にフランジ部２ａと第３フランジ７とが接合されている。
このようにして、外管２内に内管３を配置した状態で、内管３の軸が屋外側から屋内側に向けて上向きに傾斜するようになっている。また、内管３の屋内側には、屋内側に延びた延設部３ａが形成されている。そして、後述するように、第２フランジ５が、ベンドキャップ８を取り付けるベンドキャップ取付部として機能し、内管３の延設部３ａが、空調用ダクト９を取り付ける空調用ダクト取付部として機能する。
【０００９】
このスリーブ１は鋼板製で、外管２と内管３の板厚は０．６ｍｍで、外形寸法は以下のとおりである。
管部長さＬ１：５００ｍｍ
第２フランジ５の長さＬ２：１０ｍｍ
延設部３ａの長さＬ３：８０ｍｍ
外管２の外径：１９５ｍｍ
内管３の内径：１５０ｍｍ
また、内管３の軸の傾きは、内管３の屋外側中心点と屋内側中心点との差Ｇ１が、１５ｍｍになるように設定されている。
次に、このような構成のスリーブ１の取付方法などについて説明する。
【００１０】
まず、建築躯体（型枠）内の所定位置（本実施形態では、外壁Ｗが形成される位置）に、スリーブ１を水平に配置し、仮固定する。この状態で、型枠にコンクリートを打ち込み、コンクリートが完全に固定した後に型枠を取り除くと、外壁Ｗにスリーブ１が貫通、固定された状態になる。
【００１１】
次に、第２フランジ５（および内管３）内にベンドキャップ８の取付端部（円筒状）を挿入（圧入）すれば、ベンドキャップ８が取り付けられる。また、内管３の延設部３ａを空調用ダクト９に挿入し、外周をビス（図示せず）などで固定すれば、空調用ダクト９の配管が終了する。
このように、スリーブ１を型枠に配置してコンクリートを打ち込むだけで、スリーブ１を所定の位置に固定することができ、さらに、第２フランジ５および内管３の延設部３ａに、ベンドキャップ８および空調用ダクト９を容易に（挿入、固定するだけで）取り付けることができる。この際、ベンドキャップ８および空調用ダクト９が取り付けられる内管３の位置は、外管２に対して固定されているため、従来のように、ベンドキャップ８および空調用ダクト９を位置決めする必要がない。すなわち、スリーブ１が型枠の所定位置に配置されることで、ベンドキャップ８および空調用ダクト９も所定位置に配置される。しかも、外管２と内管３との間の空気層が断熱効果を発揮するため、従来のように、空調用ダクト９に断熱材を巻き付ける必要がない。
ところで、内管３の軸が屋外側から屋内側に向けて上向きに傾斜しているため、ベンドキャップ８から浸入した雨水などがこの内管３を通って、空調用ダクト９に入り込んでしまうことがない。つまり、浸入した雨水などは、内管３の傾斜によって屋外側に流れる。このため、従来のように、屋内側で空調用ダクト９に水勾配を設ける必要がなくなる。
本実施形態では、スリーブ１を型枠に配置してコンクリートを打ち込むようにしているが、図２に示すように、外壁Ｗに予め挿入孔Ｗ１（躯体スリーブ）を設け、この挿入孔Ｗ１にスリーブ１の外管２を挿入し、外管２のフランジ部２ｂ（上記のフランジ部２ａよりも延設されている）をコンクリートビス１０やアンカーなどで外壁Ｗに固定してもよい。この場合、例えば、挿入孔の孔径は、２００ｍｍとなる。
〈実施形態２〉
図３は、本実施形態に係るスリーブ１１の側面図である。
図中１２主管であり、この主管１２の屋外側端部には、外側に折り曲げられた第１フランジ部１２ａ（ベンドキャップ取付部）が形成されており、この第１フランジ部１２ａに、外円形で主管１２の貫通穴を有する環状の第１フランジ板１３が取り付けられている。また、主管１２の屋内側端部には、外側に折り曲げられた第２フランジ部１２ｂが形成されており、この第２フランジ部１２ｂに、正方形の第２フランジ板１４が取り付けられている。
この第２フランジ板１４の四隅には、長ナット１５が溶接されており、図４に示すように、中央部には通気穴１４ａが形成されている。この通気穴１４ａは、主管１２の内径形状とほぼ同形状であるが、底部が主管１２の内径形状よりも小さくなっており、主管１２の流路底部を塞ぎ、かつ、主管１２と後述する取付管１７との隙間を塞ぐ防水部１４ｂ（水切り）が形成されている。なお、第２フランジ板１４の外周に設けられた複数の小穴は、型枠に取り付けるための釘穴である。
この第２フランジ板１４には、取付板１６を介して取付管１７（空調用ダクト取付部）が取り付けられている。すなわち、取付管１７の中心が正方形の取付板１６（主管１２）の中心よりもＧ２だけ上方にずれるように、取付板１６に取付管１７のフランジ部１７ａが接合され、この取付板１６がボルト（図示せず）、長ナット１５によって第２フランジ板１４に取り付けられている。また、取付板１６には、取付管１７と同心に、取付管１７の内径と同径の通気穴が形成されている。
このスリーブ１１は鋼板製で、各寸法は以下のとおりである。
管部１２の長さＬ４：１４５ｍｍ
管部１２の内径：１５０ｍｍ
管部１２の板厚：０．６ｍｍ
取付管１７の長さＬ５：８０ｍｍ
取付管１７の内径：１５０ｍｍ
取付管１７の板厚：０．６ｍｍ
第１フランジ板１３、第２フランジ板１４の板厚：１．６ｍｍ
取付板１６の板厚：１．０ｍｍ
フランジ板１３、１４および取付板１６の一辺：２００ｍｍ
また、取付管１７の中心と主管１２の中心とのずれＧ２は２０ｍｍで、図４において、第２フランジ板１４の防水部１４ｂを形成する円弧の半径Ｒは、１１０ｍｍである。
次に、このような構成のスリーブ１１の取付方法などについて説明する。
【００１２】
まず、上記実施形態１と同様にして、スリーブ１１をコンクリート製の外壁Ｗなどに貫通、固定させる。次に、主管１２の屋外側端部（第１フランジ部１２ａ）にベンドキャップ８の取付端部を挿入すれば、ベンドキャップ８が取り付けられる。また、取付管１７を空調用ダクト９に挿入すれば、空調用ダクトが配管される。
このように、上記実施形態１と同様に、スリーブ１１の固定、ベンドキャップ８および空調用ダクト９の取り付けを容易に行うことができる。また、ベンドキャップ８および空調用ダクト９を位置決めする必要がない。
ところで、取付管１７の中心が主管１２の中心よりもＧ２だけ上方にずれているため、空調用ダクト９の流路底部が主管１２の流路底部よりも高くなる。この結果、ベンドキャップ８から浸入してスリーブ１１の主管１２の流路底部に達した雨水などが、空調用ダクト９に入り込んでしまうことがない。このため、屋内側で空調用ダクト９に水勾配を設ける必要がなくなる。また、主管１２の流路底部と取付管１７の流路底部との隙間には、防水部１４ｂが設けられているため、この隙間から雨水などが屋内に漏れ落ちることがない。なお、主管１２と取付管１７との中心がずれているために、有効面積（通気面積）は減少するが、その減少はわずかであり、しかも、ベンドキャップ８の開口有効面積は３０％であるため、通気に影響はなく、また、規定の通気面積が確保されるように、ずれ量Ｇ２を調節すればよい。
本実施形態では、上記実施形態１と同様に、建築躯体（型枠）内にスリーブ１１を仮固定し、型枠内にコンクリートを打ち込むようにしているが、次のようにしてもよい。すなわち、取付管１７を主管１２から外し、主管１２とこれに接合されている第１フランジ板１３および第２フランジ板１４を型枠内に仮固定した状態で、コンクリートを打ち込む。そして、コンクリートが完全に固定した後に型枠を外し、取付管１７を取付板１６を介してボルト、長ナット１５で第２フランジ板１４に取り付けてもよい。
また、主管１２を一体にしているが、図５に示すように、２体の管であってもよい。このスリーブ３１では、第１フランジ板３２に第１主管３３が接合され、第２フランジ板３４には第２主管３５が接合され、第２主管３５内に第１主管３３が挿入（嵌合）されている。また、第２フランジ板３４の四隅には、長ナット３６が溶接されており、この長ナット３６にネジ棒３７（全ネジ）が螺合され、ネジ棒３７の他端は第１フランジ板３２に当接している。一方、第３フランジ板３８には取付管３９が接合されており、この第３フランジ板３８はボルト４０、長ナット３６によって、第２フランジ板３４に取り付けられている。
そして、このようなスリーブ３１を建築躯体（型枠）内に仮固定する際には、外壁Ｗの幅Ｈに合わせて、第１主管３３の挿入量およびネジ棒３７の螺合量を調節し、第１フランジ板３２と第２フランジ板３４との間隔が幅Ｈになるようにする。その後は、上記と同様にして、コンクリート打ちによってスリーブ３１を固定し、ベンドキャップおよび空調用ダクトを取り付ければよい。
このように、主管を２体の管にすることによって、外壁Ｗなどの幅Ｈに応じて主管の長さを調節することができ、幅Ｈが異なるごとに主管の長さを変えたスリーブを用意する必要がない（上記のスリーブ１１では、外壁Ｗの幅Ｈが異なれば、管部１２の長さＬ４を変えたスリーブ１１としなければならない）。
ところで、スリーブ１１およびスリーブ３１では、取付管の中心を主管の中心よりも上方にずらしているが、主管と取付管とを同軸にし、防水部１４ｂのみによって、雨水などの浸入を防止するようにしてもよい。
【図面の簡単な説明】
【００１３】
【図１】本発明の実施形態１に係るスリーブの側面図（一部断面図）。
【図２】本発明の実施形態１に係るスリーブの他の取付方法を示す側面図（一部断面図）。
【図３】本発明の実施形態２に係るスリーブの側面図（一部断面図）。
【図４】図３のＡ−Ａ断面図。
【図５】本発明の実施形態２における他のスリーブを示す側面図。
【符号の説明】
【００１４】
１        スリーブ
２        外管
３        内管
３ａ            延設部（空調用ダクト取付部）
４        第１フランジ
５        第２フランジ（ベンドキャップ取付部）
８        ベンドキャップ
９        空調用ダクト
Ｗ        外壁
【図１】
2005299978.tif 000003
【図２】
2005299978.tif 000004
【図３】
2005299978.tif 000005
【図４】
2005299978.tif 000006
【図５】
2005299978.tif 000007